(57)【要約】      （修正有）【課題】容易に取り付けられて、かつ取れにくい色や模様のある部材を有する剣道用防具を提供する。【解決手段】面防具の突き垂れや胴防具の胴胸などの剣道用防具であって、飾りライン部３の飾りラインの間に飾りラインと略同じ長さの色及び／又は模様のある紐状部材４が接着剤によって剣道用防具本体１に接着され、さらに紐状部材は両端が飾りラインの間の左右に設けられた通し穴５に剣道用防具本体の表側から裏側まで通されて固定されている。【選択図】図１
0003194561.tif 000002
【実用新案登録請求の範囲】
【請求項１】
剣道用防具の飾りライン部の飾りラインの間に前記飾りラインと略同じ長さの色及び／又は模様のある紐状部材が接着剤によって前記剣道用防具本体に接着され、
さらに前記紐状部材は両端が前記飾りラインの間の左右に設けられた通し穴によって前記剣道用防具本体の表側から裏側まで通されていることを特徴とする剣道用防具。
【請求項２】
前記剣道用防具は面防具の突き垂れであり、
前記飾りライン部は前記面防具の突き垂れの下部にある複数の飾りラインが設けられている部分であり、さらに前記紐状部材は前記飾りラインのカーブに沿って前記面防具の突き垂れである剣道用防具本体に接着されていることを特徴とする請求項１記載の剣道用防具。
【請求項３】
前記剣道用防具は胴防具の胴胸であり、
前記飾りライン部は前記胴防具の胴胸の下部にある複数の飾りラインが設けられている部分であり、さらに前記紐状部材は前記飾りラインに沿って前記胴防具の胴胸である剣道用防具本体に接着されていることを特徴とする請求項１記載の剣道用防具。
【考案の詳細な説明】
【技術分野】
【０００１】
本考案は、剣道において利用者の頭部等を保護するために使用される剣道用防具に係り、特に突き垂れや胴胸のライン飾りの間に色や模様のある紐状部材が接着され、その両端が通し穴で裏まで通されている剣道用防具に関する。
【背景技術】
【０００２】
従来、剣道に用いられる剣道用防具には、利用者の頭部、首部等を保護する面防具と、腹部等を保護するための胴防具、手部、腕部等を保護するための甲手、腰部等を保護するための垂とがあり、利用者はこれらの防具を着用して剣道に臨んでいる。
そして、面防具は、利用者の顔を保護する面金と、頭部を保護する面布団と、首部を保護する突き垂れなどから構成されている。また、胴防具は、利用者の腹部を保護する胴台と、胸部を保護する胴胸などから構成されている。
【０００３】
ところで、剣道用防具は、一般的に華やかではなく落ち着いた感じに作られているが、例外的に、面防具の突き垂れや胴防具の胴胸については、刺繍糸などを用いて飾りライン等を施して、剣道用防具の利用者がその嗜好や個性を発揮する化粧飾りの役割をも果たしている。
【０００４】
しかし、面防具の突き垂れや胴防具の胴胸は、相手の竹刀の衝撃を和らげる機能が要求されていることから、綿、フェルト等で形成された芯材を丈夫な皮革で覆うなどして通常分厚く形成されているので、これら突き垂れや胴胸の部材に化粧飾りを縫い込むためにはかなりの熟練と多くの手間が必要とされる。
さらに、化粧飾りの色や模様は利用者によって好みが分かれるところであり、利用者の好みに応じて色や模様が異なるものを施すためには、多品種少量生産とならざるを得ないために、剣道用防具の製造コストを低減することを難しくしている。
【０００５】
一方、化粧飾りの種類を減らして、種類毎の生産量を増やして製造コストを低減しようとすると、色や模様の種類が限られることになる。そのため、本来であれば、面防具の突き垂れの部分と胴防具の胴胸の部分の飾りの色や模様を合わせることが望ましいのにもかかわらず、突き垂れであれば濃紺色の単色のものがほとんどであるという現状になっている。また、胴防具はサイズが５種類位、面防具もサイズが１６種類位（６０〜７５ｃｍ）あり、多品種少量生産となって価格が上がるのを避けるため、利用者の好みの色や模様を入れているのは価格の高い少数の防具にとどまっているという状態である。
【０００６】
こういった事情から、少しでも熟練を要することなく手間をかけずに色や模様の種類を変えて面防具や胴防具を製造できるようにするために、今まで様々なものが提供されて来た。
例えば、刺しゅう、柄織、或いは染色などにより模様を施した布を、表面を皮張り製にした胴の上部に縫製或いは接着剤などによって貼着して模様付けをした剣道用胴が提供されている（特許文献１を参照）。
【先行技術文献】
【特許文献】
【０００７】
【特許文献１】実開昭５０−８４１５９号公報
【考案の概要】
【考案が解決しようとする課題】
【０００８】
しかし、特許文献１記載の布を縫製して剣道用防具に取り付けるにも相当の手間がかかり、また接着剤などによる布の貼着では、相手の竹刀による打突に対しての耐久性に乏しく、化粧飾りとなる布の部分が容易に取れてしまうという問題がある。
そこで、本考案の目的は、容易に取り付けられて、かつ取れにくい色や模様のある部材を有する剣道用防具を提供することである。
【課題を解決するための手段】
【０００９】
上記の課題を解決するために、請求項１記載の考案は、剣道用防具であって、剣道用防具の飾りライン部の飾りラインの間に前記飾りラインと略同じ長さの色及び／又は模様のある紐状部材が接着剤によって前記剣道用防具本体に接着され、さらに前記紐状部材は両端が前記飾りラインの間の左右に設けられた通し穴によって前記剣道用防具本体の表側から裏側まで通されていることを特徴とする。
【００１０】
請求項２記載の考案は、前記剣道用防具は面防具の突き垂れであり、前記飾りライン部は前記面防具の突き垂れの下部にある複数の飾りラインが設けられている部分であり、さらに前記紐状部材は前記飾りラインのカーブに沿って前記面防具の突き垂れである剣道用防具本体に接着されていることを特徴とする。
【００１１】
請求項３記載の考案は、前記剣道用防具は胴防具の胴胸であり、前記飾りライン部は前記胴防具の胴胸の下部にある複数の飾りラインが設けられている部分であり、さらに前記紐状部材は前記飾りラインに沿って前記胴防具の胴胸である剣道用防具本体に接着されていることを特徴とする。
【考案の効果】
【００１２】
本考案にかかる剣道用防具は、剣道用防具の飾りラインの間に紐状部材が接着剤によって接着され、かつその両端は剣道用防具本体の表側から裏側まで通されているので、色及び／又は模様のある紐状部材を剣道用防具本体に容易に取り付けることができ、さらに相手の竹刀による打突を受けても剣道用防具本体から紐状部材が取れにくいという効果がある。
【図面の簡単な説明】
【００１３】
【図１】面防具の突き垂れの表側の説明図である。
【図２】紐状部材の端部が剣道用防具本体の表側に出ている場合の部分断面図である。
【図３】紐状部材の端部が剣道用防具本体の内部に入っている場合の部分断面図である。
【図４】紐状部材の端部が剣道用防具本体の裏側に出ている場合の部分断面図である。
【考案を実施するための形態】
【００１４】
以下、図面を参照しながら、本考案の実施の形態について説明する。
【実施例１】
【００１５】
本実施例は、剣道用防具の内、面防具の突き垂れについて実施した例である。
面防具は、利用者の顔を保護する面金と、頭部を保護する面布団と、首部を保護する突き垂れなどから構成されている。
本実施例における剣道用防具本体１は、面防具の突き垂れである。そして、剣道用防具本体１には刺繍糸などを用いて飾りが施されており、下部の飾りライン部３は略水平方向の線状に３本から４本の飾りラインが段飾りになって施されている。なお、突き垂れの飾りライン部３の飾りラインは、直線状ではなく中央部分が下方向に少しカーブした形状になっている。また、突き垂れの上部には、曙光、または通常Ｘ字形などの飾りラインであるクロス飾り部２が形成されている。
【００１６】
図１は、面防具の突き垂れの表側の説明図である。
この剣道用防具によれば、突き垂れの飾りライン部３の飾りラインの間に略飾りラインの長さの紐状部材４が飾りラインのカーブに沿って、接着剤によって剣道用防具本体１に接着されているので、胴防具と合った色や模様のある紐状部材４を容易に剣道用防具本体１に取り付けることができる。
仮に、突き垂れの飾りライン部３の飾りラインの間に通し穴５を左右両側に２つ設けて、紐状部材４の両端を通して紐状部材４を剣道用防具本体１に取り付けただけの場合、張力によって紐状部材４は直線状となり、少しカーブした形状になっている飾りライン部３の飾りラインの間に沿わせることができない。しかし、本実施例では接着剤を用いることによって、飾りラインのカーブに沿って紐状部材４を剣道用防具本体１に取り付けることが可能である。
【００１７】
紐状部材４は、飾りライン部３の飾りラインの間に収まり、かつ、剣道用防具本体１の表面からの高さが飾りラインの高さより低く剣道用防具本体１に接着されるので、相手の打突を先ず飾りライン部３の飾りラインがその衝撃を受けることになり、紐状部材４への衝撃は軽くて済む。
飾りライン部３の飾りラインの間に収まり、かつ、剣道用防具本体１の表面からの高さが飾りラインの高さより低いものであれば、紐状部材４の幅や高さは特に限定されるものではなく、様々な幅や高さのものが利用可能である。
そして、紐状部材４の材料は、牛革や鹿革などの本革、合成皮革、フェルト地、又は繊維布など様々なものが使用可能である。繊維布の例としては、木綿、化学繊維、ポリエステル・綿混紡などが挙げられる。
【００１８】
紐状部材４は、色及び／又は模様のあるものである。
紐状部材４の色の例としては、茶色、赤色、紫色、エンジ色、白色、ベージュ色など様々な色が採用可能であり、胴防具の色と合わせることができる。
また、紐状部材４の模様も様々なものが可能であり、胴防具の模様と合わせることができる。
なお、紐状部材４の色や模様は、剣道用胴防具の胴胸の色や模様と同一である場合に限られるものではなく、異なっていてもよい。
【００１９】
接着剤としては、紐状部材４を剣道用防具本体１に接着できるものであれば、様々な接着剤が利用可能である。例えば、紐状部材４の裏面を剣道用防具本体１に接着できるように熱溶融型接着剤で構成すれば、アイロンなどの加熱器具で溶融し、押圧することにより紐状部材４を剣道用防具本体１に溶着することができる。より具体的には、溶着するための熱溶融型接着剤で構成されている紐状部材４の裏側を剣道用防具本体１の接着したい箇所に重ね合わせて、アイロンなどの加熱手段により加圧・加熱して剣道用防具本体１に溶着させる。
熱溶融型接着剤としては、エチレン−酢酸ビニル共重合体樹脂系のフィルム状熱溶融型接着剤を使用する。ただし、該接着剤に限られるものではなく、紐状部材４と剣道用防具本体１との間に充分な接着強度を発現できるものであれば、ポリオレフィン系、ポリアミド系、合成ゴム系、アクリル系、ポリウレタン系など様々な接着剤が選択可能である。
【００２０】
紐状部材４は、飾りライン部３の飾りラインの間の左右に設けられた通し穴５によって剣道用防具本体１の表側から裏側まで通されている。単に、接着剤で紐状部材４を剣道用防具本体１に接着させただけでは、紐状部材４の両端は剣道用防具本体１の表側に露出しているので飾りラインによって防護されにくく、両端からめくれ易く試合中に剥がれ落ちた場合に、審判によって試合が中断されるなどの問題を引き起こす可能性がある。
つまり、紐状部材４が単に剣道用防具本体１に接着されているだけでは、相手の竹刀による打突に対して弱く、突き垂れに接着した紐状部材４が取れてしまう可能性があるが、本実施例ではさらに剣道用防具本体１に設けられた左右２箇所の細い通し穴５の中を紐状部材４が剣道用防具本体１の表側から裏側まで通されることによって、紐状部材４が容易に取れるということがなくなる。
【００２１】
図２、図３、及び図４は、剣道用防具本体１、通し穴５、紐状部材４の関係を示したものであり、各図の上側が剣道用防具本体１の表側である。なお、通し穴５は飾りライン部３の飾りラインの間の左右に設けられるが、図２、図３、及び図４は、その片側だけの部分断面図であり、もう一方の通し穴５の周辺も同様の構造である。
【００２２】
図２は、紐状部材４の端部が剣道用防具本体１の表側に出ている場合の部分断面図である。
この場合の紐状部材４の端部は、飾りライン部３の飾りラインの間に設けられた通し穴５によって剣道用防具本体１の表側から裏側まで通された後に、さらに別の通し穴で剣道用防具本体１の裏側から表側まで通されて剣道用防具本体１の表側に出ている。従って、この場合の通し穴は、飾りライン部３の飾りラインの間に、左右２箇所ずつの計４箇所設けられている。
【００２３】
図３は、紐状部材４の端部が剣道用防具本体１の内部に入っている場合の部分断面図である。
この場合の紐状部材４の端部は、飾りライン部３の飾りラインの間に設けられた通し穴５によって剣道用防具本体１の表側から裏側まで通された後に、裏側に設けられた剣道用防具本体１の表側までは貫通していない穴にさらに通されて剣道用防具本体１内部に末端が収められている。
【００２４】
図４は、紐状部材４の端部が剣道用防具本体１の裏側に出ている場合の部分断面図である。
この場合の紐状部材４の端部は、飾りライン部３の飾りラインの間に設けられた通し穴５によって剣道用防具本体１の表側から裏側まで通された後に、剣道用防具本体１の裏側に出ている。
なお、図４のように剣道用防具本体１の裏側で結んで止められている場合に限られるものではなく、裏側に端部が出ているだけでも、また、該端部が剣道用防具本体１の裏側に接着剤によって接着されていても良い。
【００２５】
以上のように、本実施例によれば、紐状部材４を剣道用防具本体１に容易に取り付けることができ、かつ、取り付けた後は剣道用防具本体１から紐状部材４は取れにくくなる。そして、紐状部材４を含む突き垂れは損傷されにくく、見栄えも綺麗である。
【００２６】
なお、紐状部材４の数は、図１に示されているような１本に限られるものではなく、飾りライン部３の飾りラインの間に設けることが可能であれば、２本以上であっても良い。
【００２７】
本実施例による効果について、説明する。
本実施例の剣道用防具によれば、面防具の突き垂れの飾りライン部３の飾りラインの間に前記飾りラインと略同じ長さの色及び／又は模様のある紐状部材４が前記飾りラインのカーブに沿って接着剤によって面防具の突き垂れである剣道用防具本体１に接着され、かつ紐状部材４は両端が飾りライン部３の飾りラインの間の左右に設けられた通し穴５によって剣道用防具本体１の表側から裏側まで通されているので、紐状部材４を剣道用防具本体１に容易に取り付けることができ、かつ、取り付けた後は相手の竹刀による打突を受けても剣道用防具本体１から紐状部材４は取れにくいという効果がある。
【実施例２】
【００２８】
剣道用胴防具は、利用者の腹部を保護する胴台と、胸部を保護する胴胸などから構成されているが、本実施例は、実施例１とは異なり、剣道用防具の内、図示しないが剣道用胴防具の胴胸について実施したものである。従って、本実施例における剣道用防具本体１は、面防具の突き垂れであった実施例１とは異なり、胴防具の胴胸である。
本実施例では、剣道用胴防具の飾りライン部３の飾りラインの間に前記飾りラインと略同じ長さの色及び／又は模様のある紐状部材４が接着剤によって剣道用防具本体１に接着され、さらに紐状部材４は両端が前記飾りラインの間の左右に設けられた通し穴５によって剣道用防具本体１の表側から裏側まで通されている。
本実施例の飾りライン部３は前記胴防具の胴胸の下部にある複数の飾りラインが設けられている部分であり、さらに紐状部材４は前記飾りラインに沿って剣道用防具本体１に接着されている。
ただし、胴胸の飾りライン部３の飾りラインは、突き垂れのものとは異なり中央部分が下方向にカーブした形状になっておらず、正面から見ると水平方向の略直線状となっているので、本実施例における紐状部材４は、正面から見ると水平方向の略直線状となるように胴胸のライン部３の飾りラインの間に取り付ける。
また、紐状部材４の色や模様は、実施例１と同様に様々なものが可能であり、面防具の色や模様と合わせることができる。なお、紐状部材４の色や模様は、剣道用面防具の突き垂れの色や模様と同一である場合に限られるものではなく、異なっていてもよい。
これら以外は、実施例１と同様なので、説明を省略する。
【００２９】
本実施例による効果について、説明する。
本実施例の剣道用防具によれば、胴防具の胴胸の飾りライン部３の飾りラインの間に前記飾りラインと略同じ長さの色及び／又は模様のある紐状部材４が前記飾りラインに沿って接着剤によって胴防具の胴胸である剣道用防具本体１に接着され、かつ紐状部材４は両端が飾りライン部３の飾りラインの間の左右に設けられた通し穴５によって剣道用防具本体１の表側から裏側まで通されているので、紐状部材４を剣道用防具本体１に容易に取り付けることができ、かつ、取り付けた後は相手の竹刀による打突を受けても剣道用防具本体１から紐状部材４は取れにくいという効果がある。
【符号の説明】
【００３０】
１  剣道用防具本体
２  クロス飾り部
３  飾りライン部
４  紐状部材
５  通し穴
【図１】
0003194561.tif 000003
【図２】
0003194561.tif 000004
【図３】
0003194561.tif 000005
【図４】
0003194561.tif 000006